(57)【要約】【課題】外部へ球抜する球抜状態へ切り換えた際に、エラー等の異常動作が発生するのを防止することができる弾球遊技機の提供を目的とする。【解決手段】払出装置１２５の上方で遊技球を払出装置へ誘導する払出誘導樋１３１あるいは遊技機の外部へ抜き出すための球抜樋２２０１の何れか一方へ遊技球の流路を切り換える流路切換手段１１０と、前記払出装置を強制的に作動させて前記払出装置から遊技球を払い出させることが可能な払出装置強制作動手段と、前記流路切換手段１１０が遊技球を前記払出誘導樋１３１へ誘導する払出状態から前記球抜樋２０１へ誘導する球抜状態に切り換えたことを起因に、払出遊技球検出手段による遊技球の検出を無効あるいは不可能にする払出遊技球非検出手段とを備えた。【選択図】      図１９
2008296056.tif 000002
【特許請求の範囲】
【請求項１】
遊技球払出条件が成立したときに遊技球の払い出しが可能な払出装置と、
前記払出装置から払い出された遊技球を検出可能な払出遊技球検出手段と、
前記払出装置から払い出された遊技球を前記払出遊技球検出手段により検出して前記払出装置による遊技球の払出を監視する払出制御手段と、
を備え、
前記払出制御手段による遊技球の払出監視によって異常を検出した場合に異常動作が発生する弾球遊技機において、
前記払出装置の上方で遊技球を前記払出装置へ誘導する払出誘導樋あるいは遊技機の外部へ抜き出すための球抜樋の何れか一方へ遊技球の流路を切り換える流路切換手段と、
前記払出装置を強制的に作動させて前記払出装置から遊技球を払い出させることが可能な払出装置強制作動手段と、
前記流路切換手段が遊技球を前記払出誘導樋へ誘導する払出状態から前記球抜樋へ誘導する球抜状態に切り換えたことを起因に、前記払出遊技球検出手段による遊技球の検出を無効あるいは不可能にする払出遊技球非検出手段と、
前記払出装置から払い出された遊技球を当該遊技機前面側に設けられた遊技球を貯留する貯留皿に誘導する払出樋と、
前記払出装置から遊技球を払い出すことを阻止する阻止部材と、
前記払出遊技球検出手段は前記払出装置から払い出された遊技球を検出可能な第１の位置と検出不可能な第２の位置間を移動する構成とされ、前記払出遊技球検出手段を前記第１の位置と前記第２の位置間を移動させる払出遊技球検出手段移動部材と、
前記払出装置から払い出された遊技球を遊技機外部へ抜き出すための第２球抜樋と、
を備え、
前記遊技球払出条件が成立したときに前記払出遊技球検出手段移動部材が前記第２球抜樋への誘導路を閉鎖して前記払出装置から遊技球を前記払出樋に払い出す一方、前記払出装置強制作動手段により前記払出装置を強制的に作動させて前記払出装置から遊技球を払い出させる際には、前記払出装置強制作動手段により前記阻止部材による阻止を解除すると共に前記払出遊技球検出手段移動部材により前記払出遊技球検出手段を前記第１の位置から前記第２の位置に移動させて前記第２球抜樋への前記誘導路を開放し、前記遊技球検出手段移動部材が前記払い出された遊技球を前記第２球抜樋へ誘導する構成であることを特徴とする弾球遊技機。
【請求項２】
前記流路切換手段は、遊技球を前記払出誘導樋へ誘導する払出状態と前記球抜樋へ誘導する球抜状態に遊技球の流路を切り換える流路切換部材を備えることを特徴とする請求項１に記載の弾球遊技機。
【請求項３】
前記流路切換手段により前記球抜状態とされたことを検出する球抜状態検出手段を備えることを特徴とする請求項１または２に記載の弾球遊技機。
【請求項４】
前記払出遊技球非検出手段は、前記球抜状態検出手段による球抜状態の検出を起因に前記払出遊技球検出手段による遊技球の検出情報を無効にすることを特徴とする請求項３に記載の弾球遊技機。
【請求項５】
遊技球が入球する入賞口を備え、前記入賞口への遊技球の入球が前記遊技球払出条件の成立とされていると共に、前記入賞口への遊技球の入球が前記払出装置強制作動手段の作動を兼ねていることを特徴とする請求項１から４の何れか一項に記載の弾球遊技機。
【請求項６】
前記払出遊技球検出手段は、前記払出装置から払い出された遊技球の個数を検出する払出遊技球検出センサを有し、前記払い出された遊技球の検出結果が予め設定されている払出個数に対して過剰あるいは不足した場合に前記異常動作が発生することを特徴とする請求項１から５の何れか一項に記載の弾球遊技機。
【請求項７】
前記阻止部材は、電気的駆動源と、前記電気的駆動源の駆動により作動するストッパー部材と、前記電気的駆動源の駆動による前記ストッパー部材の作動に伴い前記ストッパー部材に係合及び係合解除可能な回転体とを備え、前記ストッパー部材と前記回転体が係合している場合には前記回転体の回転が阻止されると共に前記払出誘導樋を流下する遊技球を前記回転体で受け止めて遊技球の払出を阻止する一方、前記ストッパー部材と前記回転体の係合が解除されている場合には前記回転体が回転可能となって当該払出装置から遊技球を払い出すことを可能とする構成からなり、
前記電気的駆動源と前記払出遊技球検出手段移動部材とを各々連動する連動部を備え、前記連動部の連動により前記払出遊技球検出手段移動部材が前記第２の位置に位置する場合には前記電気的駆動源と前記連動部との連動による前記電気的駆動源の駆動で前記ストッパー部材と前記回転体とが係合解除する構成であることを特徴とする請求項１から６の何れか一項に記載の弾球遊技機。
【請求項８】
前記流路切換手段が遊技球を前記払出誘導樋へ誘導する払出状態から前記球抜樋へ誘導する球抜状態へ切り換えたことを起因に、自動で前記連動部の連動により前記払出遊技球検出手段移動部材が前記第２の位置に位置する場合には前記ストッパー部材と前記回転体の係合を解除する構成であることを特徴とする請求項７に記載の弾球遊技機。
【発明の詳細な説明】
【技術分野】
【０００１】
本発明は、パチンコ遊技機等に代表される弾球遊技機に関する。
【背景技術】
【０００２】
従来、遊技球払出条件が成立したときに遊技球の払い出し可能な払出装置と、前記払出装置から払い出された遊技球を検出可能な払出遊技球検出手段とを備えた弾球遊技機においては、前記払出装置の上方に球抜機構を備え、必要時に遊技球を払出装置の上方から遊技機の裏側へ誘導して外部へ球抜きすることが可能とされている。
【０００３】
また、弾球遊技機においては、遊技領域に設けた入賞口への遊技球の入球によって遊技球払出条件が成立したときに払出装置から遊技球を払い出し、その遊技球を払出樋を経て遊技機の前面側の球受け皿へ誘導すると共に、払出装置から払い出された遊技球を払出遊技球検出手段で検出して払出装置による払出を監視することが行われている。
【０００４】
しかし、例えば、払出装置の上方に設けた球抜機構によって遊技球の球抜きを行うと、球抜機構から払出装置までの流路に遊技球が残存して球抜きが不完全になることがある。そこで、強制的に少なくとも前記残存した遊技球を含む遊技球を払出装置から払い出して遊技機の外部へ球抜きを行うようにすると、払い出された遊技球に対する前記払出遊技球検出手段による検出において異常が検出される虞があり、異常動作が発生することがある。
【特許文献１】特開平９−２８５６１６号公報
【発明の開示】
【発明が解決しようとする課題】
【０００５】
本発明は、前記の点に鑑みなされたもので、遊技球を遊技機の外部へ球抜きをする球抜状態へ切り換えた際に、払出遊技球検出手段による遊技球の検出を無効あるいは不可能にすることにより、異常動作の発生を防止することができる弾球遊技機の提供を目的とする。
【課題を解決するための手段】
【０００６】
請求項１の発明は、遊技球払出条件が成立したときに遊技球の払い出しが可能な払出装置と、前記払出装置から払い出された遊技球を検出可能な払出遊技球検出手段と、前記払出装置から払い出された遊技球を前記払出遊技球検出手段により検出して前記払出装置による遊技球の払出を監視する払出制御手段と、を備え、前記払出制御手段による遊技球の払出監視によって異常を検出した場合に異常動作が発生する弾球遊技機において、前記払出装置の上方で遊技球を前記払出装置へ誘導する払出誘導樋あるいは遊技機の外部へ抜き出すための球抜樋の何れか一方へ遊技球の流路を切り換える流路切換手段と、前記払出装置を強制的に作動させて前記払出装置から遊技球を払い出させることが可能な払出装置強制作動手段と、前記流路切換手段が遊技球を前記払出誘導樋へ誘導する払出状態から前記球抜樋へ誘導する球抜状態に切り換えたことを起因に、前記払出遊技球検出手段による遊技球の検出を無効あるいは不可能にする払出遊技球非検出手段と、前記払出装置から払い出された遊技球を当該遊技機前面側に設けられた遊技球を貯留する貯留皿に誘導する払出樋と、前記払出装置から遊技球を払い出すことを阻止する阻止部材と、前記払出遊技球検出手段は前記払出装置から払い出された遊技球を検出可能な第１の位置と検出不可能な第２の位置間を移動する構成とされ、前記払出遊技球検出手段を前記第１の位置と前記第２の位置間を移動させる払出遊技球検出手段移動部材と、前記払出装置から払い出された遊技球を遊技機外部へ抜き出すための第２球抜樋と、を備え、前記遊技球払出条件が成立したときに前記払出遊技球検出手段移動部材が前記第２球抜樋への誘導路を閉鎖して前記払出装置から遊技球を前記払出樋に払い出す一方、前記払出装置強制作動手段により前記払出装置を強制的に作動させて前記払出装置から遊技球を払い出させる際には、前記払出装置強制作動手段により前記阻止部材による阻止を解除すると共に前記払出遊技球検出手段移動部材により前記払出遊技球検出手段を前記第１の位置から前記第２の位置に移動させて前記第２球抜樋への前記誘導路を開放し、前記遊技球検出手段移動部材が前記払い出された遊技球を前記第２球抜樋へ誘導する構成であることを特徴とする。
【０００７】
請求項２の発明は、請求項１において、前記流路切換手段が、遊技球を前記払出誘導樋へ誘導する払出状態と前記球抜樋へ誘導する球抜状態に遊技球の流路を切り換える流路切換部材を備えることを特徴とする。
【０００８】
請求項３の発明は、請求項１または２において、前記流路切換手段により前記球抜状態とされたことを検出する球抜状態検出手段を備えることを特徴とする。
【０００９】
請求項４の発明は、請求項３において、前記払出遊技球非検出手段が、前記球抜状態検出手段による球抜状態の検出を起因に前記払出遊技球検出手段による遊技球の検出情報を無効にすることを特徴とする。
【００１０】
請求項５の発明は、請求項１から４の何れか一項において、遊技球が入球する入賞口を備え、前記入賞口への遊技球の入球が前記遊技球払出条件の成立とされていると共に、前記入賞口への遊技球の入球が前記払出装置強制作動手段の作動を兼ねていることを特徴とする。
【００１１】
請求項６の発明は、請求項１から５の何れか一項において、前記払出遊技球検出手段は、前記払出装置から払い出された遊技球の個数を検出する払出遊技球検出センサを有し、前記払い出された遊技球の検出結果が予め設定されている払出個数に対して過剰あるいは不足した場合に前記異常動作が発生することを特徴とする。
【００１２】
請求項７の発明は、請求項１から６の何れか一項において、前記阻止部材は、電気的駆動源と、前記電気的駆動源の駆動により作動するストッパー部材と、前記電気的駆動源の駆動による前記ストッパー部材の作動に伴い前記ストッパー部材に係合及び係合解除可能な回転体とを備え、前記ストッパー部材と前記回転体が係合している場合には前記回転体の回転が阻止されると共に前記払出誘導樋を流下する遊技球を前記回転体で受け止めて遊技球の払出を阻止する一方、前記ストッパー部材と前記回転体の係合が解除されている場合には前記回転体が回転可能となって当該払出装置から遊技球を払い出すことを可能とする構成からなり、前記電気的駆動源と前記払出遊技球検出手段移動部材とを各々連動する連動部を備え、前記連動部の連動により前記払出遊技球検出手段移動部材が前記第２の位置に位置する場合には前記電気的駆動源と前記連動部との連動による前記電気的駆動源の駆動で前記ストッパー部材と前記回転体とが係合解除する構成であることを特徴とする。
【００１３】
請求項８の発明は、請求項７の発明において、前記流路切換手段が遊技球を前記払出誘導樋へ誘導する払出状態から前記球抜樋へ誘導する球抜状態へ切り換えたことを起因に、自動で前記連動部の連動により前記払出遊技球検出手段移動部材が前記第２の位置に位置する場合には前記ストッパー部材と前記回転体の係合を解除する構成であることを特徴とする。
【発明の効果】
【００１４】
請求項１の発明によれば、払出装置を強制的に作動させて払出装置から遊技球を払い出させることが可能な払出装置強制作動手段と、流路切換手段が払出装置からの遊技球を払出樋へ誘導する払出状態から球抜樋へ誘導する球抜状態に切り換えたことを起因に、払出遊技球検出手段による遊技球の検出を無効あるいは不可能にする払出遊技球非検出手段とを備える構成としたことにより、球抜状態時に払出装置から払い出された遊技球を払出遊技球検出手段が検出することで発生する異常動作を防止することが可能となる。加えて、払出遊技球検出手段は払出装置から払い出された遊技球が検出不可能な第２の位置に移動するため、異常動作を生じるのをより確実に防ぐことが可能となる。また、流路切換手段から払出装置間に残留することになった遊技球を、遊技機の外部へ誘導することが可能なため、遊技球の球抜作業を容易に行うことが可能となる。
【００１５】
請求項２の発明によれば、流路切換手段は、遊技球を払出誘導樋へ誘導する払出状態と球抜樋へ誘導する球抜状態に遊技球の流路を切り換える流路切換部材を備えることにより、流路切換部材を動かして流路を切り換えることが可能となる。
【００１６】
請求項３の発明によれば、流路切換手段により球抜状態とされたことを検出する球抜状態検出手段を備えることにより、遊技機が球抜状態であることを認識して処理を行うことが可能となる。
【００１７】
請求項４の発明によれば、球抜状態検出手段による球抜状態の検出を起因に払出遊技球検出手段による遊技球の検出情報を無効にすることにより、球抜状態時に払出装置から払い出された遊技球を払出遊技球検出手段が検出することで発生する異常動作を防止することが可能となる。
【００１８】
請求項５の発明によれば、遊技球が入球する入賞口を備え、入賞口への遊技球の入球が遊技球払出条件の成立とされていると共に、入賞口への遊技球の入球が払出装置強制作動手段の作動を兼ねていることにより、球抜状態時に流路切換部材から払出装置間に残った遊技球を強制的に払い出すことが可能となる。
【００１９】
請求項６の発明によれば、払出遊技球検出手段は、払出装置から払い出された遊技球の個数を検出する払出遊技球検出センサを有し、払い出された遊技球の検出結果が予め設定されている払出個数に対して過剰あるいは不足した場合に異常動作が発生する構成としたことにより、遊技球の払出状態時には遊技球の払出の異常を検出することが可能になると共に、遊技機外への球抜状態時には払出遊技球検出手段による遊技球の検出を無効あるいは不可能にすることで異常動作を防止することが可能となる。
【００２０】
請求項７の発明によれば、前記阻止部材は、電気的駆動源と、前記電気的駆動源の駆動により作動するストッパー部材と、前記電気的駆動源の駆動による前記ストッパー部材の作動に伴い前記ストッパー部材に係合及び係合解除可能な回転体とを備え、前記ストッパー部材と前記回転体が係合している場合には前記回転体の回転が阻止されると共に前記払出誘導樋を流下する遊技球を前記回転体で受け止めて遊技球の払出を阻止する一方、前記ストッパー部材と前記回転体の係合が解除されている場合には前記回転体が回転可能となって当該払出装置から遊技球を払い出すことを可能とする構成からなり、前記電気的駆動源と前記払出遊技球検出手段移動部材とを各々連動する連動部を備え、前記連動部の連動により前記払出遊技球検出手段移動部材が前記第２の位置に位置する場合には前記電気的駆動源と前記連動部との連動による前記電気的駆動源の駆動で前記ストッパー部材と前記回転体とが係合解除する構成により、連動部の連動により遊技球を強制的に払い出すことが可能である。
【００２１】
請求項８の発明によれば、前記流路切換手段が遊技球を前記払出誘導樋へ誘導する払出状態から前記球抜樋へ誘導する球抜状態へ切り換えたことを起因に、自動で前記連動部の連動により前記払出遊技球検出手段移動部材が前記第２の位置に位置する場合には前記ストッパー部材と前記回転体の係合を解除する構成により、簡易に遊技球を強制的に払い出すことが可能である。
【発明を実施するための最良の形態】
【００２２】
以下添付の図面に基づき本発明の好適な実施形態を説明する。図１は本発明の第１参考例に係る弾球遊技機について釘を省略して示す正面図、図２は同弾球遊技機の裏面図、図３は同弾球遊技機の制御装置等の接続を簡略に示すブロック図である。
【００２３】
図１に示す本参考例の弾球遊技機１は、遊技媒体として遊技球を用いるパチンコ遊技機であり、遊技盤３の縁に遊技球の外側ガイドレール４及び内側ガイドレール５が略円形に立設され、前記内側ガイドレール５によって囲まれた遊技領域６を有する。前記遊技領域６には、その中心線上に上部から下部に向かって順に表示装置９、始動入賞口１０、特別電動役物である大入賞口１５、アウト口１７が配設され、また上方両側にはランプ風車１８ａ，１８ｂ、その下方に普通図柄変動開始用左ゲート１９及び普通図柄変動開始用右ゲート２１、その下方に左袖入賞口２３と右袖入賞口２５、さらには前記大入賞口１５の両側に左落とし入賞口２７と右落とし入賞口２９が配設されている。各入賞口および普通図柄変動開始用左ゲート１９及び普通図柄変動開始用右ゲート２１には、入賞（入球）した遊技球を検出する入賞検出センサが設けられている。なお、前記表示装置９は、文字又は図柄の少なくとも何れかを表示可能なものであって、液晶，ドットマトリックス若しくはＬＥＤ表示装置等の表示装置からなり、この参考例では、液晶表示器（ＴＦＴ−ＬＣＤモジュール）で構成され、左下に普通図柄表示部４５が組み込まれ、その他の大部分が特別図柄表示部４２となっている。符号２２ａ，２２ｂは風車、Ｆ１は外枠、Ｆ２は外枠Ｆ１に取り付けられた前枠、Ｇは前枠Ｆ２に開閉可能にヒンジで取り付けられたガラス枠である。
【００２４】
また、前記遊技機１の前面側には、枠飾り右ランプ３５ａ、枠飾り上ランプ３５ｂ及び枠飾り左ランプ３５ｃからなるランプ装置、払い出された遊技球を受けるための上側球受け皿３６、該上側球受け皿３６の飽和時に遊技球を受けるための下側球受け皿３７、効果音等を発するスピーカ３８、遊技者の発射操作に応じて遊技球を遊技領域６に向けて弾発発射する発射装置５３が設けられている。符号５４は発射装置５３の操作レバーである。さらに、この例の弾球遊技機１は、プリペイドカードユニット５５が接続されている。
【００２５】
遊技を制御するための複数の制御基板や装置等は、遊技機１の裏側の機構板に設けられている。前記遊技機１の裏側に設けられる制御基板や装置について、図２及び図３を用いて簡略に説明する。なお、図２の符号９９は機構板である。図には、前記制御基板及び装置の主なものとして、主制御基板１００、表示制御基板１０１、中継基板１０２、ランプ制御基板１０３、音声制御基板１０４、払出制御基板１０５、エラー解除スイッチ１２４、払出装置１２５、球無しスイッチ基板１８５、受電基板１８７、電源基板１８８、カードインターフェイス接続部１８９、発射制御基板１９０、枠用外部端子基板１９１、盤用外部端子基板１９２等が示されている。なお、各基板には電気回路が形成され、また各基板は基板ケースに収容されている。
【００２６】
前記主制御基板１００は、遊技の当否判定や副制御基板に対する制御等、遊技の主な制御を行う。前記主制御基板１００は、ＣＰＵ，ＲＡＭ，ＲＯＭ，複数のカウンタを備えたコンピュータと、該コンピュータとランプ制御基板１０３、払出制御基板１０５等を結ぶ入出力回路と、前記コンピュータと前記大入賞口１５に接続される中継基板等を結ぶ入出力回路等で構成される。前記ＣＰＵは、制御部，演算部，各種カウンタ，各種レジスタ，各種フラグ等を備え、演算制御を行う他、遊技における大当たりの発生や小当たりの発生のための乱数等も生成している。また、前記ＲＡＭは、各種検出信号用の記憶領域、ＣＰＵで生成される各種乱数値用の記憶領域、各種データを一時的に記憶する記憶領域やフラグ、ＣＰＵの作業領域を備える。さらに、前記ＲＯＭには、遊技上の制御プログラムや制御データ等が書き込まれている他、遊技における大当たり及び小当たりの判定値等が書き込まれている。
【００２７】
それに対して、副制御基板としての表示制御基板１０１は前記表示装置９の制御を行い、またランプ制御基板１０３は、前記ランプ装置等を制御し、前記音声制御基板１０４は前記スピーカ３８からの音声を制御し、前記払出制御基板１０５は、払出装置１２５による遊技球の払出を制御し、前記払出装置１２５から払い出された遊技球を後述の払出遊技球検出手段により検出して遊技球の払出を監視する。なお、前記払出制御基板１０５は、本発明の払出制御手段に相当する。前記表示制御基板１０１、ランプ制御基板１０３、音声制御基板１０４及び払出制御基板１０５等は、ＣＰＵ、ＲＯＭ、ＲＡＭを備える。また、前記発射制御基板１９０は、前記発射装置５３に遊技者の手が接触しているか否かをタッチセンサにより検出して前記発射装置５３を制御する。一方、前記エラー解除スイッチ１２４は、前記払出装置１２５の払出に関しエラーが発生してエラー報知がなされた場合に、エラーを解除してエラー報知を停止するスイッチである。本参考例においてエラー報知は、前記ランプ装置の点滅によって行われる。前記エラーは本発明の異常動作に相当する。
【００２８】
また、図４に示すように、前記機構板９９の上部には、遊技機設置島から流れてくる遊技球を受け取って一旦溜めるためのタンク９０と、前記タンク９０から流路切換手段１１０へ遊技球を誘導するタンクレール９１およびケースレール９２と、前記流路切換手段１１０により遊技球の流路が切換可能とされた払出誘導樋１３１および球抜樋２０１と、前記払出誘導樋１３１によって遊技球が誘導される払出装置１２５が設けられている。また、前記球抜樋２０１は、遊技機の外部へ遊技球を誘導可能にされている。流路切換手段１１０、払出装置１２５、払出誘導樋１３１、球抜樋２０１及びそれらに関連する構造については、後に詳述する。
【００２９】
前記弾球遊技機１では、前記遊技領域６へ向けて前記発射装置５３により遊技球が発射されて、前記種々の入賞口に入賞すると、すなわち本発明における遊技球払出条件が成立すると、入賞口に応じた所定数の遊技球が賞球として、前記払出装置１２５により払い出され、後述の払出樋（図４の符号１５９）を通って弾球遊技機前面側の上側球受け皿３６に払い出される。また、前記普通図柄変動開始用左ゲート１９及び普通図柄変動開始用右ゲート２１を遊技球が通過すると、小当たり判定・普通図柄決定用乱数値が取得され、その取得乱数値に基づいて普通図柄の当たり（小当たり）判定が行われ、前記普通図柄表示部４５で普通図柄が変動を開始し、所定時間変動後に停止する。その際、前記普通図柄の当たり判定結果が小当たりの場合には、小当たり普通図柄、この例では奇数で停止し、前記始動入賞口１０の２つの可動片１０ａ，１０ｂが背面の始動入賞口用ソレノイドによって略垂直で入賞し難い狭小開放状態（通常状態）から略Ｖ字形（逆ハの字形）の入賞（入球）し易い拡開開放状態に変化し、遊技球が入賞し易くなる。そして、前記始動入賞口１０に遊技球が入賞（入球）すると、所定数の遊技球が賞球として払い出される。なお、本参考例では、大入賞口１５への入賞（入球）は主賞球として１５個の遊技球が払い出されるのに対して、その他の入賞については副賞球として４個払い出されるように設定されている。
【００３０】
また、前記始動入賞口１０に遊技球が入賞すると、大当たり当否判定用乱数値及び大当たり確定特別図柄の組合せ決定用乱数値が取得され、前記取得された大当たり当否判定用乱数値に基づいて大当たりの当否判定が行われ、前記特別図柄表示部４２で特別図柄が変動を開始し、所定時間変動後に停止する。
【００３１】
前記大当たりの当否判定結果が大当たりの場合には、前記特別図柄表示装置９に大当たり確定特別図柄組合せ、この例では『１，１，１』（いわゆる‘１’のぞろ目）や『２，２，２』（いわゆる‘２’のぞろ目）等、同一数字の組合せ）で停止表示され、遊技者に有利な特別遊技（大当たり遊技）に移行する。前記特別遊技状態になると、前記大入賞口１５の開閉板１６が開いて遊技領域６の表面を落下してくる遊技球を受け止め易くして、大入賞口１５へ入賞可能にし、該大入賞口１５への入賞があると、所定数の遊技球が賞球として払い出される。前記開閉板１６は、所定時間（例えば２９．５秒）経過後、或いは入賞球数が所定個数（例えば１５個）となった時点で閉じるようにされている。また、前記大入賞口１５の開放中又は大入賞口１５が閉じてから約２秒以内に、大入賞口内の特定領域入賞口１５ａへの入賞球が検出されると、前記大当たりを再度繰り返す継続権利が発生し、所定最高回数（例えば最高１６回）、前記開閉板１６の開放を繰り返すようになっている。
【００３２】
ここで、前記流路切換手段１１０、前記払出装置１２５、前記払出誘導樋１３１、前記球抜樋２０１及びそれらに関連する構造について説明する。前記流路切換手段１１０は、前記ケースレール９２に設けられている。
【００３３】
前記ケースレール９２は、図４ないし図８に示すように、前記タンクレール９１から続く遊技球誘導樋９２ａが内部に形成されている。本参考例の遊技球誘導樋９２ａは途中で下側へＵターンした形状とされ、前記Ｕターン後の傾斜が緩やかな部分の下面に球抜樋入り口９３が開口して形成され、また遊技球誘導樋９２ａの下流端が払出誘導樋１３１と接続されている。前記球抜樋入り口９３は、後に詳述する流路切換手段１１０の流路切換部材１１１によって開閉可能とされると共に、前記流路切換部材１１１によって開放された際には、球抜樋入り口９３の直下に設けられた球抜樋２０１へ通じる球抜状態時の流路が形成される。一方、前記球抜樋入り口９３が前記流路切換部材１１１によって閉鎖された際には、閉鎖中の前記球抜樋入り口９３上を遊技球が通って払出誘導樋１３１へ誘導される払出状態時の流路が形成される。
【００３４】
前記流路切換手段１１０は、図９から容易に理解されるように、流路切換部材１１１と流路切換ロック部材１１６と流路切換操作レバー１１３とより構成される。流路切換部材１１１は、前記球抜樋入り口９３を下から塞ぐことのできる大きさの流路切換板１１１ａと、前記流路切換板１１１ａの基部に形成されている回動用軸部１１１ｂと、前記回動用軸部１１１ｂから下方に垂下する押さえ部１１１ｃとよりなる。また、前記流路切換板１１１ａは押さえ部１１１ｃよりも重くなるように設定されている。前記流路切換部材１１１は、前記球抜樋入り口９３付近におけるケースレール９２の前後面間に前記流路切換板１１１ａを上下動可能にして前記回動用軸部１１１ｂで軸着され、押さえ部１１１ｃを下方に押すことにより前記流路切換板１１１ａ側が上方へ回動して前記球抜樋入り口９３の周縁に当接し、前記球抜樋入り口９３を下側から塞ぐようになっている。また、前記球抜樋入り口９３を流路切換板１１１ａが塞いでいる状態において、且つ、後述のロック部材１１６との係合が解除されているときに、前記流路切換板１１１ａが押さえ部１１１ｃよりも重く設定されていることにより前記流路切換板１１１ａが下方へ回動して、前記球抜樋入り口９３を開放できるようになっている。前記押さえ部１１１ｃの下面には流路切換ロック部材１１６と係合して前記流路切換板１１１ａの下方回動を阻止する係合突起１１１ｄが形成されている。
【００３５】
前記流路切換ロック部材１１６は、前記流路切換板１１１ａの自由な下方回動を阻止すると共に、球抜状態時に前記流路切換板１１１ａの下方回動を可能にするものである。前記流路切換ロック部材１１６は、前記ケースレール９２の前後面間に上下回動可能に一端側の軸部１１６ａで軸着された上下回動可能部材とされ、上面には前記押さえ部１１１ｃの係合突起１１１ｄと解除可能に係合する係合爪１１６ｂが形成され、また下面にはケースレール９２の外面と接触して誘導切換ロック部材１１６の係合爪１１６ｂ側を上向きに付勢するバネ片１１６ｃが形成されている。前記係合爪１１６ｂは、前記流路切換板１１１ａが前記球抜樋入り口９３を塞いだ状態、すなわち遊技球の払出状態となっているときに、前記押さえ部１１１ｃの下面の係合突起１１１ｄと係合して前記流路切換板１１１ａの下方回動、すなわち球抜樋入り口９３の開放を阻止する。また、前記バネ片１１６ｃの弾性に抗する誘導切換ロック部材１１６の下方回動によって、前記係合爪１１６ｂが前記押さえ部１１１ｃの下面の係合突起１１１ｄから離れ、前記球抜樋入り口９３の流路切換板１１１ａ上に遊技球が乗っている状態時に、遊技球の重みと前記流路切換板１１１ａが押さえ部１１１ｃよりも重く設定されていることにより前記押さえ部１１１ｃの上方回動、すなわち流路切換板１１１ａの下方回動を可能にする。
【００３６】
前記流路切換操作レバー１１３は、前記流路切換ロック部材１１６の係合爪１１６ｂと前記流路切換部材１１１の係合突起１１１ｄとの係合を解除して前記流路切換板１１１ａの下方回動を可能にするためのものである。前記流路切換操作レバー１１３は、前記流路切換ロック部材１１６において前記軸部１１６ａから離れる端部に形成された連動用孔１１６ｄと係合する係合ピン１１３ａが、遊技機の背面方向へ突出して形成されていると共に、前記係合ピン１１３ａの下方位置に遊技機の左右方向に沿う軸孔１１３ｂが形成されており、また上部がつまみ部１１３ｃとされた構成からなり、前記軸孔１１３ｂの位置で前記ケースレール９３に軸着されて前記流路切換ロック部材１１６へ向かう方向、すなわち遊技機の背面方向へ回動可能とされている。前記流路切換操作レバー１１３の上部のつまみ部１１３ｃを流路切換ロック部材１１６側へ倒して、前記流路切換操作レバー１１３を前記流路切換ロック部材１１６側へ回動させると、前記係合ピン１１３ａが前記軸部１１６ａを中心として下方へ回動して前記流路切換ロック部材１１６を下方へ押し、それによって流路切換ロック部材１１６が前記バネ片１１６ｃに抗して前記軸部１１６ａを中心として下方へ回動し、前記流路切換ロック部材１１６の係合爪１１６ｂと前記流路切換板１１１の係合突起１１１ｄとの係合が解除される。
【００３７】
前記流路切換手段１１０によれば、前記流路切換ロック部材１１６の係合爪１１６ｂと前記流路切換部材１１１の係合突起１１１ｄが係合し、前記球抜樋入り口９３が前記流路切換板１１１ａで塞がれた払出状態時、前記のように流路切換操作レバー１１３を流路切換ロック部材１１６側へ倒して、前記流路切換ロック部材１１６の係合爪１１６ｂと前記流路切換部材１１１の係合突起１１１ｄとの係合を解除すると、前記球抜樋入り口９３の前記流路切換板１１１ａ上に位置する遊技球の重み及び流路切換板１１１ａが押さえ部１１１ｃよりも重く設定されていることによって流路切換板１１１ａが下方へ回動して球抜樋入り口９３が開放される。これにより、球抜樋入り口９３より上流、すなわち前記流路切換手段１１０より上流の遊技球が、球抜樋入り口９３から球抜樋２０１へ誘導される球抜状態となり、遊技球が球抜樋２０１を通って遊技機裏面側の球抜球出口から遊技機１の外部へ排出可能になる。
【００３８】
一方、前記球抜状態時、前記球抜樋入り口９３の上方に遊技球がなくなった場合に前記押さえ部１１１ｃを下方へ押すと、前記流路切換板１１１ａが上方へ回動して前記球抜樋入り口９３を塞ぎ、前記タンクレール９２から前記払出誘導樋１３１へ遊技球を誘導する払出状態時の流路が形成される。その状態で前記流路切換操作レバー１１３を前記流路切換ロック部材１１６側へ倒すのを止めると、前記流路切換ロック部材１１６の係合爪１１６ｂと前記流路切換部材１１１の係合突起１１１ｄが係合して前記払出状態時の流路がその後においても維持されることになる。なお、前記球抜途中、すなわち、前記球抜樋入り口９３の上方に遊技球が残っている段階でも、前記遊技球切換部材１１１の押さえ部１１１ｃを強制的に下方へ押し、それにより前記流路切換板１１１ａを上方へ回動させて前記球抜樋入り口９３を塞ぎ、その状態で前記流路切換ロック部材１１６の係合爪１１６ｂと前記流路切換部材１１１の係合突起１１１ｄを係合させることにより、払出状態に変化させると共に払出状態を維持させることもできる。
【００３９】
さらに、本参考例では、前記流路切換板１１１ａと前記ケースレール９２には、前記球抜状態とされたことを検出する球抜状態検出手段として、球抜状態検出センサ１１７ａ，１１７ｂが設けられている。図示の球抜状態検出センサ１１７ａ，１１７ｂは、前記流路切換板１１１ａが下方へ回動して前記球抜状態となった際に、前記流路切換板１１１ａと前記ケースレール９２が互いに接触し、一方、前記流路切換板１１１ａが上方へ回動して払出状態となった際に離れることとなる部位に設けられる。前記球抜状態検出センサ１１７ａ，１１７ｂは、前記接触により球抜状態を検出することができるものであって、公知の接触式スイッチからなる。前記球抜状態検出手段としての球抜状態検出センサ１１７ａ，１１７ｂは前記払出制御手段１０５と接続され、球抜状態の検出が払出制御手段１０５で判断される。なお、球抜状態検出手段は、前記の位置及び方式に限られるものではなく、前記球抜状態を検出できるものであればよい。
【００４０】
前記払出装置１２５は、前記払出誘導樋１３１からの遊技球を、前記払出制御手段の制御により、払出あるいは払出停止を行うものである。前記のように、払出装置１２５による遊技球の払出は、前記遊技領域６へ発射された遊技球が前記入賞口に入賞することによる遊技球払出条件の成立によって、あるいは払出装置強制作動手段の作動、すなわち本参考例では遊技店の店員等が前記ガラス枠Ｇを開けて、前記入賞口へ遊技球を直接入球させることにより行われる。本参考例の払出装置１２５は、払出誘導樋１３１を流下してくる遊技球を１球ずつ受け止めて一方向への回転により１球ずつ下方へ払い出すことが可能なスプロケット状の回転体１２６と、前記回転体１２６との係合により該回転体１２６の回転を阻止、すなわち遊技球の払出を阻止し、また係合解除により該回転体１２６の回転を可能、すなわち払出を可能とする爪状のストッパー部材１２８と、前記ストッパー部材１２８を作動させて前記回転体１２６に対する係合及び係合解除を行う払出ソレノイド１２９で構成される。なお、それらの部材はケース体１３０に収容されている。本参考例のケース体１３０は、図１０および図１１に示すように、正面視縦長な長方形の透明な箱状からなり、内部における上部の一部には前記払出誘導樋１３１と通じるケース内払出誘導樋１３１ａが形成されている。
【００４１】
前記回転体１２６は、前記ケース内払出誘導樋１３１ａからの遊技球を１球ずつ間に挟むことが可能な爪１２７を放射状に有するものであって、前記ケース内払出誘導樋１３１ａの中心線から前記回転体１２６の回転中心をずらして配置されることにより、前記爪１２７で受けた遊技球の自重により前記回転体１２６が回転して遊技球を下方へ払い出し可能に設けられている。また、前記ストッパー部材１２８は、先端が前記回転体１２６の爪１２７と解除可能に係合する形状とされたもので、前記払出ソレノイド１２９の作動部材１２９ａと連動し、前記払出ソレノイド１２９の作動により揺動して、前記回転体１２６の爪１２７に対する係合や係合解除が可能にされている。本参考例では、前記払出ソレノイド１２８は作動部材１２９ａが上下方向となるように設けられ、図１０の（１０−Ａ）のように、前記作動部材１２９ａが上方へ後退することにより、前記ストッパー部材１２８と前記回転体１２６の係合が解除されて、回転体１２６の回転が可能になり、それまで前記ケース内払出誘導樋１３１ａからの遊技球が爪１２７間に保持されていたのを払出可能とし、一方、図１０の（１０−Ｂ）のように、前記作動部材１２９ａが下方へ前進することにより、前記ストッパー部材１２８と前記回転体１２６が係合して回転体１２６の回転を阻止し、前記ケース内払出誘導樋１３１ａからの遊技球を回転体１２６の爪１２７間に保持し、遊技球の払出を停止する。なお、前記払出ソレノイド１２８の作動部材１２９ａは、常時下方へコイルスプリングにより付勢され、前記遊技球払出条件の成立や払出装置強制作動手段の作動により払出ソレノイド１２８が作動ＯＮとなって上方へ後退し、その後の作動ＯＦＦによってコイルスプリングの力で下方へ前進するように構成されている。
【００４２】
前記ケース体１３０には、払出検出器１４０が設けられている。払出検出器１４０は、払出遊技球検出手段に相当し、本参考例では図１１に示すように、保持部材１４１と遊技球の個数を検出する払出遊技球検出センサ１４５とよりなり、前記回転体１２６で払い出された直後の遊技球を前記払出遊技球検出センサ１４５が検出可能な位置、本参考例では払出樋１５９の上方に設けられる。前記払出遊技球検出センサ１４５はフォトセンサ、接触式センサ、磁力センサ等、遊技球を検出可能なものとされ、実施形態により適宜選択される。前記払出遊技球検出センサ１４５による遊技球の検出個数が、各入賞口への入賞に対して予め設定されている遊技球の払出設定個数になると払出装置１２５による払出を終了し、一方、前記払出遊技球検出センサ１４５による遊技球の検出個数が前記遊技球の払出設定個数に対して過不足の場合には、エラー報知が行われる。また、本参考例では、前記球抜状態検出センサ１１７ａ，１１７ｂにより球抜状態が検出されると、前記払出遊技球検出センサ１４５による遊技球の検出が無効あるいは不可能とされ、エラー報知が防止される。前記球抜状態検出センサ１１７ａ，１１７ｂによる球抜状態検出によって払出遊技球検出センサ１４５による遊技球の検出を無効あるいは不可能にすることが、払出遊技球非検出手段となっている。
【００４３】
前記保持部材１４１は、前記ケース体１３０の一側の側部を挟持面１４２で挟むことが可能な略コの字形状からなり、上部には吊り下げ片１４３が設けられ、前記挟持面１４２の内側には前記払出遊技球検出センサ１４５が設けられている。前記保持部材１４１は、払出樋１５９の上方側となる前記ケース体１３０の一側面の外側に形成された払出検出器保持片１３３に前記吊り下げ片１４３が軸支されて、前記ケース体１３０の側部に固定される。また、前記ケース体１３０の前後面には、前記保持部材１４１の挟持面１４２が重なる位置、すなわち、前記払出装置１２５から払い出された直後の遊技球が通過する位置の前後面には検出センサ用窓１３２が形成され、前記保持部材１４１の挟持面１４２の内側に設けられている払出遊技球検出センサ１４５が、前記検出センサ用窓１３２の位置と一致して、前記払出装置１２５から払い出された遊技球の個数を検出可能にされている。
【００４４】
また前記ケース体１３０は、前記ケース内払出誘導樋１３１ａの真下におけるケース体１３０の下端付近に払出樋１５９が形成されている。前記払出樋１５９は、遊技機の前面側の上側球受け皿３６と接続され、前記払出装置１２５から払い出された遊技球を上側球受け皿３６へ払出可能にされている。
【００４５】
なお、前記球抜状態時、前記流路切換手段１１０から（図示の例では球抜樋入り口９３から）払出装置１２５の回転体１２６間に残る遊技球については、遊技店の店員等が前記ガラス枠Ｇを開けて適当な入賞口に遊技球を入球させて強制的に前記払出装置１２５の払出ソレノイド１２８を作動させることにより、遊技機前面の上側球受皿（本願発明の貯留皿に相当）３６に払い出すことができるが、前記球抜状態の検出により自動的に前記払出ソレノイド１２８を作動させて、遊技機前面の上側球受皿３６に払い出すようにしてもよい。
【００４６】
次に第２参考例の弾球遊技機について示す。図１２は第２参考例に係る弾球遊技機１Ａの裏面図、図１３は第２参考例における払出状態の機構板の裏側について装置等を一部切り欠いて示す図、図１４は第２参考例における球抜・払出状態の機構板の裏側について装置等を一部切り欠いて示す図、図１５は第２参考例における払出装置の作動を示す図、図１６は第２参考例におけるケース体及び保持部材の斜視図、図１７は第２参考例における払出検出器移動部材の斜視図である。なお、第２参考例の弾球遊技機１Ａにおいて、正面図は第１参考例の第１図と同様であり、制御装置等の接続を簡略に示すブロック図は図３と同様である。また、第１参考例と区別して示す必要がある部分のみ第１参考例とは異なる符号を用い、他の部分については同一の符号を用いて説明する。以下、第１参考例と相違する部分を主として説明する。
【００４７】
第２参考例の弾球遊技機１Ａは、例えば前記球抜状態時に、前記流路切換手段１１０から（図示の例では球抜樋入り口９３から）払出装置１２５の回転体１２６間に残る遊技球を強制的に払い出す際、前記入賞口に遊技球を入球させる方法に加えて別の強制払出作動手段を備え、且つ強制払出作動手段の作動によって払出装置１２５から払い出された遊技球に対し、払出遊技球検出センサ１４５による検出を不可能にするものである。
【００４８】
第２参考例における払出検出器１４０は、前記払出樋１５９の上方側となる前記ケース体１３０の一側面の外側に形成された払出検出器保持片１３３に吊り下げ片１４３が軸支されて、前記ケース体１３０の側部に揺動可能に軸支される。前記ケース体１３０の側部に吊り下げられた払出検出器１４０は、図１５のように前記ケース体１３０の側部に対して接近あるいは離間するように揺動可能とされ、前記揺動により前記保持部材１４１の挟持面１４２が、前記ケース体１３０の前後面に重なったり（図１５の（１５−Ａ）及び（１５−Ｂ））、ケース体１３０の外へほとんどはみ出したりするようになっている（図１５の（１５−Ｃ））。また、前記ケース体１３０の前後面には、前記保持部材１４１の挟持面１４２が重なる位置、すなわち、前記払出装置１２５から払い出された直後の遊技球が通過する位置の前後面には、図１６に示すように検出センサ用窓１３２が形成され、前記保持部材１４１の挟持面１４２が前記ケース体１３０の前後面に重なった際（図１５の（１５−Ａ）及び（１５−Ｂ））に、前記保持部材１４１の挟持面１４２内側に設けられている払出遊技球検出センサ１４５が、前記検出センサ用窓１３２の位置と一致して、前記払出装置１２５から払い出された遊技球を検出可能な第１の位置となり、一方、前記払出検出器１４０がケース体１３０の側部外方へ揺動した際（図１５の（１５−Ｃ））には、前記払出遊技球検出センサ１４５が前記検出センサ用窓１３２の位置から外れて前記払出装置１２５から払い出された遊技球を検出不可能な第２の位置になる。
【００４９】
なお、本参考例では前記払出検出器１４０が自重による揺動で前記ケース体１３０に接近して前記払出遊技球検出センサ１４５による遊技球の検出可能な第１の位置となるように、前記保持部材１４１の下部には重り１４１ａが埋設されている。また、後述するように、払出装置強制作動部材１６６による払出ソレノイド（本発明における電気的駆動源に相当）１２９の作動時に、払出検出器移動部材１６１Ａの一部が保持部材１４１に当接して保持部材１４１を押すことにより、前記払出検出器１４０がケース体１３０の外方へ揺動して、前記払出遊技球検出センサ１４５による遊技球の検出不可能な第２の位置となるように構成されている。また、図１８に示すように、ケース体１３０の検出センサ用窓１３２Ａを切り欠き状にして、払出遊技球検出センサ１４５が揺動する際に、前記払出遊技球検出センサ１４５が検出センサ用窓１３２Ａの切り欠き状部分を揺動してケース体１３０の表面で遮られないようにしてもよい。
【００５０】
前記検出センサ用窓１３２の位置から前記払出樋１５９の間には、払出検出器移動部材１６１Ａが設けられている。前記払出検出器移動部材１６１Ａは、図１７に示すように、上下に細長い略板状体からなり、遊技機の前後に相当する払出検出器移動部材１６１Ａの前後面の下部に揺動軸１６２が形成されていると共に上部にピン状の当接用突部１６３が形成され、さらに下部には遊技機の左右一方向へ突出した腕部１６４が形成され、前記腕部１６４には遊技機の裏面側へ突出した連動部１６５がピン状に突出形成されている。また、前記払出検出器移動部材１６１Ａの上部から下部にかけて遊技球通過窓１７０が形成されている。
【００５１】
前記払出検出器移動部材１６１Ａは、図１５の（１５−Ａ）及び（１５−Ｂ）のような略垂直状態と、図１５の（１５−Ｃ）のような払出装置１２５により供給される遊技球が遊技球通過窓１７０を通って払出樋１５９へ流下可能な傾斜状態との間を揺動可能となるように、ケース体１３０内に前記揺動軸１６２で軸着される。また、前記当接用突部１６３は、前記ケース体１３０の前後面に弧状に形成されている当接用突部スライド用長孔１３５に挿入されて前記ケース体１３０の外面に突出し、前記払出検出器移動部材１６１Ａが揺動する際に、前記当接用突部スライド用長孔１３５に沿ってスライド可能にされている。前記当接用突部スライド用長孔１３５から突出している前記当接用突部１６３は、前記略垂直状態（図１５の（１５−Ａ）、（１５−Ｂ））から傾斜状態（図１５の（１５−Ｃ））へ前記払出検出器移動部材１６１Ａが揺動する際に、前記当接用突部スライド用長孔１３５に沿ってスライドし、その時、前記払出検出器１４０の保持部材１４１における挟持面１４２のケース体中央側端部１４２ａの下部側と当接することにより、前記検出器１４０を外方へ揺動させ、前記払出装置１２５から払い出された遊技球を検出不可能な第２の位置にする。本参考例においては、前記球抜状態検出センサ１１７ａ，１１７ｂによる球抜状態検出によって払出遊技球検出センサ１４５による遊技球の検出を無効にすることを第１払出遊技球非検出手段とすると、前記払出検出器移動部材１６１Ａにより前記払出検出器１４０を揺動させて第２の位置にすることは、第２払出遊技球非検出手段に相当する。このように、第１払出遊技球非検出手段と第２払出遊技球非検出手段を備えることにより、球抜状態において遊技球を強制的に払い出す際に、払い出された遊技球が払出遊技球検出センサ１４５で検出されてエラー等の異常動作を生じるのをより確実に防ぐことが可能となる。
【００５２】
また、前記払出検出器移動部材１６１Ａの連動部１６５については、前記払出ソレノイドの作動部材１２９ａの下方に上下動可能に設けられた払出装置強制作動部材１６６の下部の係合凹部１６９と係合し、前記払出装置強制作動部材１６６を上下移動させる際に、前記払出装置強制作動部材１６６の係合凹部１６９と共に上下動し、それによって前記払出検出器移動部材１６１Ａが前記揺動軸１６２を軸として揺動し、前記略垂直の状態（図１５の（１５−Ａ）、（１５−Ｂ））と傾斜した状態（図１５の（１５−Ｃ））に変位させるようになっている。さらに、前記払出検出器移動部材１６１Ａが略垂直の状態（図１５の（１５−Ａ）及び（１５−Ｂ））から傾斜した状態（図１５の（１５−Ｃ））に変位する際には、前記払出検出器移動部材１６１Ａの当接用突部１６３が前記払出検出器１４０の保持部材１４１における挟持面１４２のケース体中央側端部１４１ａの下部側と当接することにより、前記払出検出器１４０をケース体１３０の外方へ揺動させ、前記払出装置１２５から払い出された遊技球を検出不可能な第２の位置にする。
【００５３】
前記払出装置強制作動部材１６６は、上下に長い略棒状体からなって、下部に前記払出検出器移動部材１６１Ａの連動部１６５と係合する係合凹部１６９が形成され、また前記ケース体１３０の外部に突出した操作用つまみ部１６７が形成されている。前記操作用つまみ部１６７を上方へ動かして払出装置強制作動部材１６６を上方へ移動させると、払出装置強制作動部材１６６の上端が前記払出ソレノイド１２９の作動部材１２９ａの下端と接触して作動部材１２９ａを上方へ後退させ、それによって前記ストッパー部材１２８を揺動させて前記回転体１２６と前記ストッパー部材１２８との係合を解除し、前記回転体１２６を回転可能にして遊技球が払出装置１２５から払出可能になる。また、その際、前記払出装置強制作動部材１６６の係合凹部１６９に前記払出検出器移動部材１６１Ａの連動部１６５が係合しているため、前記払出検出器移動部材１６１Ａを略垂直状態から傾斜状態に変位させ、さらにそれに連動して前記払出検出器１４０をケース体１３０の外方へ揺動させ、前記払出装置１２５から払い出された遊技球に対して検出不可能な第２の位置にする。
【００５４】
また、前記操作用つまみ部１６７を下方へ動かせば、前記払出装置強制作動部材１６６が下方へ移動して前記回転体１２６と前記ストッパー部材１２８が係合し、前記払出装置１２５からの強制的な払出を停止させると共に、前記払出検出器移動部材１６１Ａを傾斜状態から略垂直状態に変位させて前記払出検出器１４０を前記払出装置１２５から払い出された遊技球を検出可能な第１の位置に戻すことができる。前記払出装置強制作動部材１６６は、前記入賞口への遊技球の入球と共に払出装置強制作動手段に相当する。なお、本参考例において、操作用つまみ部１６７を上下方向へ動かすことにより、前記払出検出器１４０を第１の位置と第２の位置とに移動することが可能な構成にしているが、例えば、球抜状態検出センサ１１７ａ，１１７ｂによる球抜状態検出により自動的に払出検出器１４０が第１の位置と第２の位置に移動する構成にしてもよい。なお、前記払出ソレノイド１２９と前記ストッパー部材１２８と前記回転体１２６は本発明における阻止部材を構成する。
【００５５】
次に実施例の弾球遊技機１Ｂについて説明する。図１９は実施例における払出状態の機構板の裏側について装置等を一部切り欠いて示す図、図２０は実施例における球抜状態の機構板の裏側について装置等を一部切り欠いて示す図、図２１は実施例における払出装置の作動を示す図、図２２は実施例におけるケース体及び保持部材の斜視図、図２３は実施例における第２流路切換部材の斜視図である。なお、実施例の弾球遊技機１Ｂにおいて、正面図は図１と同様であり、裏面図は図１２と同様であり、さらに制御装置等の接続を簡略に示すブロック図は図３と同様である。また、第１参考例及び第２参考例と区別して示す必要がある部分のみ第１参考例及び第２参考例とは異なる符号を用い、他の部分については同一の符号を用いて説明する。以下、第１参考例及び第２参考例と相違する部分を主として説明する。
【００５６】
実施例の弾球遊技機１Ｂは、前記払出装置２５から払い出された遊技球を遊技機の前面側へ誘導する払出樋１５９あるいは前記遊技機の外部へ抜き出すための第２球抜樋２０２の何れか一方へ遊技球の流路を切り換える第２流路切換手段と、前記第２流路切換手段が前記払出装置１２５からの遊技球の流路を前記払出樋１５９へ誘導する払出状態から前記第２球抜樋２０２へ誘導する第２球抜状態へ切り換えたことを起因に、前記払出遊技球検出手段（前記払出検出器１４０が相当）による遊技球の検出を無効あるいは不可能にする第２払出遊技球非検出手段を備える。
【００５７】
実施例において、前記払出装置１２５等が収容されるケース体１３０は、図２２に示すように、前記第２参考例で説明したのと同様の外形とされている。しかし、前記ケース体１３０内の下端付近には前記払出樋１５９の隣に第２球抜き樋用開口部１６０が形成されている。前記払出樋１５９と第２球抜樋用開口部１６０は、固定壁１５８で仕切られ、前記払出樋１５９については、遊技機の前面側の上側球受け皿３６と接続され、一方第２球抜樋用開口部１６０については、第２球抜樋２０２と接続されている。前記第２球抜樋２０２は、前記球抜樋２０１の途中に連通しており、前記第２球抜樋２０２を通って遊技球が前記球抜樋２０１に至り、さらに前記球抜樋２０１を通って遊技機の外部へ球抜可能になっている。
【００５８】
前記ケース体１３０の前記検出センサ用窓１３２の位置から前記払出樋１５９及び前記球抜き樋用開口部１６０の間には、前記払出装置１２５から払い出された遊技球の流路に第２流路切換部材１６１Ｂが設けられ、前記第２流路切換部材１６１Ｂによって前記遊技球の流路が前記払出樋１５９あるいは前記第２球抜樋２０２へ切り換え可能にされている。前記第２流路切換部材１６１Ｂによる流路の切り換えは、第２流路切換手段に相当する。また、前記第２流路切換部材１６１Ｂは、払出遊技球検出手段移動部材にも相当する。
【００５９】
本実施例における第２流路切換部材１６１Ｂは、図２３にも示すように、上下に細長い略板状体からなり、遊技機の前後に相当する第２流路切換部材１６１Ｂの前後面の下部に揺動軸１６２が形成されていると共に上部にピン状の当接用突部１６３が形成され、さらに第２流路切換部材１６１Ｂの下部には遊技機の左右一方向へ突出した腕部１６４が形成され、前記腕部１６４には遊技機の裏面側へ突出した連動部１６５がピン状に突出形成されている。前記第２流路切換部材１６１Ｂは、前記ケース体１３０の検出センサ用窓１３２の位置と前記払出樋１５９及び前記第２球抜き樋用開口部１６０間のケース体１３０内に、図２１の（２１−Ａ）及び（２１−Ｂ）のように略垂直状態となって払出樋１５９へ遊技球を誘導可能な払出状態と、（２１−Ｃ）のように第２流路切換部材１６１Ｂの上部が前記検出センサ用窓１３２の位置の真下に位置する傾斜状態となって第２球抜樋２０２へ遊技球を誘導可能な第２球抜状態の間を揺動可能に前記揺動軸１６２で軸着される。また、前記当接用突部１６３は、前記ケース体１３０の前後面に弧状に形成されている当接用突部スライド用長孔１３５に挿入されて前記ケース体１３０の外面に突出し、前記第２流路切換部材１６１Ｂが揺動する際に、前記当接用突部スライド用長孔１３５に沿ってスライド可能にされている。前記当接用突部スライド用長孔１３５から突出している前記当接用突部１６３は、略垂直状態（図２１の（２１−Ａ）及び（２１−Ｂ））から傾斜状態（図２１の（２１−Ｃ））へ前記第２流路切換部材１６１Ｂが揺動する際に、前記当接用突部スライド用長孔１３５に沿ってスライドし、その時、前記払出検出器１４０の保持部材１４１における挟持面１４２のケース体中央側端部１４２ａの下部側と当接することにより、前記払出検出器１４０を外方へ揺動させ、前記払出装置１２５から払い出された遊技球を検出不可能な第２の位置にする。本実施例では、前記第２流路切換部材１６１Ｂにより前記払出検出器１４０を揺動させて第２の位置にする構成が、第２払出遊技球非検出手段となっている。
【００６０】
また、前記第２流路切換部材１６１Ｂの連動部１６５については、前記払出ソレノイドの作動部材１２９ａの下方に上下動可能に設けられた払出装置強制作動部材１６６の下部の係合凹部１６９と係合し、前記払出装置強制作動部材１６６を上下移動させる際に、前記払出装置強制作動部材１６６の係合凹部１６９と共に上下動し、それによって前記第２流路切換部材１６１Ｂが前記揺動軸１６２を軸として揺動し、略垂直の払出状態（図２１の（２１−Ａ）及び（２１−Ｂ））と傾斜した第２球抜状態（図２１の（２１−Ｃ））に変位させるようになっている。さらに、前記第２流路切換部材１６１Ｂが略垂直の払出状態から傾斜した第２球抜状態に変位する際には、前記のように第２流路切換部材１６１Ｂの当接用突部１６３が前記払出検出器１４０の保持部材１４１における挟持面１４２のケース体中央側端部１４１ａの下部側と当接することにより、前記払出検出器１４０をケース体１３０の外方へ揺動させ、前記払出装置１２５から払い出された遊技球を検出不可能な第２の位置にする。
【００６１】
前記払出装置強制作動部材１６６は、第２参考例と同様に、上下に長い略棒状体からなって、下部に前記第２流路切換部材１６１Ｂの連動部１６５と係合する係合凹部１６９が形成され、また前記ケース体１３０の外部に突出した操作用つまみ部１６７が形成されている。前記操作用つまみ部１６７を上方へ動かして払出装置強制作動部材１６６を上方へ移動させると、払出装置強制作動部材１６６の上端が前記払出ソレノイド１２９の作動部材１２９ａの下端と接触して作動部材１２９ａを上方へ後退させ、それによって前記ストッパー部材１２８を揺動させて前記回転体１２６と前記ストッパー部材１２８との係合を解除し、前記回転体１２６を回転可能にして遊技球が払出装置１２５から払出可能になる。また、その際、前記払出装置強制作動部材１６６の係合凹部１６９に前記第２流路切換部材１６１Ｂの連動部１６５が係合しているため、前記第２流路切換部材１６１Ｂを略垂直状態から傾斜状態に変位させ、さらにそれに連動して前記払出検出器１４０をケース体１３０の外方へ揺動させ、前記払出装置１２５から払い出された遊技球に対して検出不可能な第２の位置にする。
【００６２】
また、前記操作用つまみ部１６７を下方へ動かせば、前記払出装置強制作動部材１６６が下方へ移動して前記回転体１２６と前記ストッパー部材１２８が係合し、前記払出装置１２５からの強制的な払出を停止させると共に、前記第２流路切換部材１６１Ｂを第２の位置から第１の位置に変位させて前記傾斜した第２球抜状態から略垂直の払出状態に切り換えることができ、さらにそれと同時に前記第２流路切換部材１６１Ｂの当接用突部１６３が前記払出検出器１４０と当接して押すことを解除して、前記払出検出器１４０を前記払出装置１２５から払い出された遊技球を検出可能な第１の位置に戻すことができる。前記払出装置強制作動部材１６６は、払出装置強制作動手段に相当する。
【００６３】
また、前記揺動可能な払出検出器１４０に代えて、図２４乃至図２６に示すように、前記払出樋１５９の上方位置におけるケース体１３０の一側側面に払出検出器１４０Ａを固定し、前記固定式払出検出器１４０Ａの下方におけるケース体１３０の側面に開口部１３６を設けると共に、前記開口部１３６を覆うように第２球抜状態検出手段としての第２球抜状態検出器１３７を設け、さらに前記第２流路切換部材１６１Ｂには前記第２球抜状態時の揺動傾斜によって前記開口部１３６からケース体１３０の外部に突出し、一方前記払出状態時の略垂直状態時には前記ケース体１３０内に位置する突部１６８を設け、前記第２球抜状態時に前記開口部１３６から突出する突部１６８を第２球抜状態検出器１３７で検出して第２球抜状態となったことを検出するようにしてもよい。この場合、前記第２球抜状態検出器１３７による第２球抜状態の検出によって、前記払出装置１２５から払い出された遊技球に対する前記払出検出器１４０Ａの払出遊技球検出センサ１４５による検出を無効にすることが、第２払出遊技球非検出手段を構成する。前記第２球抜状態検出器１３７には、フォトセンサなどの検出センサを備えている。なお、この場合、図１９乃至図２３の例における前記第２流路切換部材の当接用突部１６３及びケース体の当接用突部スライド用長孔１３５は不要とされる。また、第２球抜状態となったことを、ランプやスピーカ等によって報知してもよい。
【００６４】
さらに図２７のように、図１９乃至図２３の例と図２４乃至図２６の例を組み合わせてもよい。すなわち、前記ケース体１３０の一側側面には前記揺動可能な払出検出器１４０を設け、また前記払出検出器１４０の下方には開口部１３６を設けると共に前記開口部１３６を覆うように第２球抜状態検出手段としての第２球抜状態検出器１３７を設け、さらに前記第２流路切換部材１６１Ｂには前記第２球抜状態時の揺動傾斜によって前記開口部１３６からケース体１３０の外部に突出し、一方前記払出状態時の略垂直状態時には前記ケース体１３０内に位置する突部１６８を設け、前記第２球抜状態時に前記開口部１３６から突出する突部１６８を第２球抜状態検出器１３７で検出して球抜状態となったことを検出するようにし、第２球抜状態となったことをランプやスピーカ等によって報知してもよい。なお、本実施例において、操作用つまみ部１６７を上下方向へ動かすことにより、前記払出装置強制作動部材１６６を動かすことが可能な構成にしているが、例えば、球抜状態検出センサ１１７ａ，１１７ｂによる球抜状態検出により自動的に前記払出装置強制作動部材１６６を動かすことが可能な構成にしてもよい。
【００６５】
このように、実施例の弾球遊技機１Ｂにおいては、請求項１の構成のように、前記払出装置から払い出された遊技球を遊技機の前面側へ誘導する払出樋あるいは前記遊技機の外部へ抜き出すための第２球抜樋の何れか一方へ遊技球の流路を切り換える第２流路切換手段と、前記第２流路切換手段が前記払出装置からの遊技球の流路を前記払出樋へ誘導する払出状態から前記第２球抜樋へ誘導する第２球抜状態へ切り換えたことを起因に、前記払出遊技球検出手段による遊技球の検出を無効あるいは不可能にする第２払出遊技球非検出手段と、を備えることを特徴とする。
【００６６】
実施例の構成とすることにより、流路切換手段による球抜状態への流路変更によって前記流路切換手段から払出装置間に残留することになった余り遊技球を、エラー等の異常を生じることなく遊技機外へ排出することが可能となる。しかも、前記第１及び第２参考例の場合には、流路切換手段から払出装置間に残留した遊技球は、払出装置の強制作動によっても遊技機の前面側の上側球受皿３６に排出されるため、さらに上側球受皿３６から遊技球を掻き出して回収しなければならないのに対し、実施例では流路切換手段による球抜状態への流路変更によって流路切換手段から払出装置間に残留することになった遊技球を、遊技機の外部へ誘導することが可能なため、遊技球の球抜作業を容易に行うことが可能となる。さらに、遊技球を入賞口に入賞させて強制的に前記余り遊技球を排出することも可能であるが、その場合には無用な入賞が発生し、遊技店のコンピュータにおける払出などのデータに誤差などを生じる虞があると共に何らかの遊技球検出信号にエラーなどによる異常動作を生じる虞があるのに対し、この実施例では無用な入賞による問題を解消することが可能となる。
【００６７】
さらに、図１９乃至図２３及び図２７に示す実施例において、前記第２払出遊技球非検出手段は、前記第２流路切換手段が前記払出装置からの遊技球の流路を前記払出樋へ誘導する払出状態から前記第２球抜樋へ誘導する第２球抜状態へ切り換えるのに連動して、前記払出遊技球検出手段が前記払出装置から払い出された遊技球を検出可能な第１の位置から遊技球を検出不可能な第２の位置に変位させることとしている。この構成により、球抜状態及び第２球抜状態への流路の切換時に確実に払出遊技球検出手段の検出を無効にすることが可能になる。
【００６８】
また、図１９乃至図２３及び図２７に示す実施例において、前記払出遊技球検出手段は、遊技球を検出する払出遊技球検出センサと前記払出遊技球検出センサを保持する保持部材とよりなり、前記保持部材が前記払出樋の上方に軸支されて前記払出遊技球検出センサと共に揺動可能とされ、前記揺動によって前記払出遊技球検出手段が前記第１の位置と第２の位置を変位するようになっている。この構成により、前記第２流路切換手段が払出状態から第２球抜状態へ切り換えるのに連動して払出遊技球検出手段を第１の位置と第２の位置に容易に変位させることが可能になる。
【００６９】
また、実施例において、前記第２流路切換手段は、前記払出装置から払い出された遊技球を前記払出樋へ誘導する払出状態と前記第２球抜樋へ誘導する第２球抜状態に遊技球の流路を切り換える第２流路切換部材を備えている。この構成により、第２流路部材を動かして流路を切り換えることが可能になる。
【００７０】
さらにまた、図１９乃至図２３及び図２７に示す実施例において、前記払出装置からの遊技球の流路を、前記払出樋へ誘導する払出状態から前記第２球抜樋へ誘導する第２球抜状態へ前記第２流路切換部材が切り換える際に、前記第２流路切換部材の一部が前記払出遊技球検出手段の保持部材に当接することにより、前記払出遊技球検出手段を前記第１の位置から前記第２の位置に変位させている。この構成により第２流路切換部材の一部が払出遊技球検出手段に直接的に当接して払出遊技球検出手段の位置が変位するため、確実に払出遊技球検出手段による検出を不可能にすることが可能になる。
【００７１】
また、実施例において、前記球抜樋の少なくとも一部と前記第２球抜樋の少なくとも一部が連通している。この構成により、球抜状態及び第２球抜状態において部分的に共通の樋を利用することが可能となる。
【００７２】
また、実施例において、第２流路切換部材を操作部により変位させる構成にしているが、例えば流路切換手段により球抜状態とされたことを球抜状態検出手段が検出した場合に自動的に第２流路切換部材が第２球抜状態へ変位する構成とし、あるいは流路切換手段の流路切換部材の変位に対して機械的に連動して第２流路切換部材が変位する構成としてもよい。
【００７３】
さらに、前記実施例の構成に加えて、図２４乃至図２７では、前記第２流路切換手段により前記第２球抜樋へ誘導する第２球抜状態とされたことを検出する第２球抜状態検出手段を設けている。この構成により、遊技機が第２球抜状態であることを認識して処理を行うことが可能となる。
【００７４】
また、図２４乃至図２７では、前記第２流路切換部材はケース体内に設けられ、前記ケース体に開口部が設けられると共に、前記第２流路切換部材には、前記第２流路切換手段が前記第２球抜樋へ誘導する第２球抜状態へ切り換えた際に前記開口部から前記ケース体の外部に出現する突部が設けられ、前記第２球抜状態検出手段は、前記開口部から前記ケース体の外部に出現した前記第２流路切換手段の突部を検出している。この構成により、第２流路切換手段により第２球抜状態に切り換えられたことを確実に検出することが可能となる。以上の各参考例及び実施例においては、流路切換手段を払出装置の上方に設けている。これにより、払出装置の上方側にある遊技球（例えば、タンクにある遊技球など）の全てではなく、ある程度の遊技球を球抜樋より球抜きし、遊技機に残った一部の遊技球を払出装置強制作動手段で払い出せばよいので、球抜き行為の手間を低減することが可能となる。
【００７５】
次に、前記第１及び第２参考例と実施例において、球抜状態が検出された際に前記払出遊技球検出手段による遊技球の検出を無効あるいは不可能にするための処理として、前記払出制御基板（払出制御手段）１０５により割り込み時間（例えば４ｍｓ）毎に実行される払出制御処理について説明する。図２８のフローに示すように、前記払出制御処理Ｈでは、出力処理（Ｓ１０）、コマンド解析処理（Ｓ２０）、払出装置制御処理（Ｓ３０）、払出センサ検出処理（Ｓ４０）、払出関連監視処理（Ｓ５０）、エラー解除処理（Ｓ６０）が順に行われ、また割り込み処理としてコマンド受信処理（Ｓ７０）が行われる。
【００７６】
出力処理（Ｓ１０）では、バッファ内に出力データが存在すれば、そのデータにしたがって、前記払出装置１２５の駆動信号を送信したり、エラー報知や、球抜状態などに関わる情報を前記表示制御基板１０１やランプ制御基板１０３、あるいは前記音声制御基板１０４に出力したりする。
【００７７】
コマンド解析処理（Ｓ２０）では、図２９のフローに示すように、前記割り込み処理で行われるコマンド受信処理（Ｓ７０）によって、前記主制御基板１００から払出信号を受信したか否かが最初に確認される（Ｓ２１）。前記払出信号は、前記遊技領域６の入賞口に遊技球が入球（入賞）することによって遊技球払出条件が成立したときに、前記主制御基板１００から払出制御基板１０５に対して送信される。払出信号を受信していないときは、その時点でこのコマンド解析処理（Ｓ２０）が終了し、それに対して払出信号を受信している場合には、受信した払出信号が４個用コマンドか１５個用コマンドか確認される（Ｓ２２）。４個用コマンドは、前記大入賞口１５以外の入賞に対する副賞球として４個の遊技球を前記払出装置１２５の払出ソレノイド１２９の作動により払い出す信号であり、一方１５個用コマンドは前記大入賞口１５への入賞に対する主賞球として１５個の遊技球を前記払出装置１２５の払出ソレノイド１２９の作動により払い出す信号である。前記受信した払出信号が４個用コマンドの場合には、払出個数に＋４加算し（Ｓ２３）、前記払出装置１２５へ４信号（副賞球出力信号）の出力準備をする（Ｓ２４）。それに対して、受信した払出信号が４個用コマンドではなく、１５個用コマンドの場合には、払出個数に＋１５加算し（Ｓ２５）、前記払出装置１２５へ１５信号（主賞球出力信号）の出力準備をする（Ｓ２６）。
【００７８】
払出装置制御処理（Ｓ３０）では、図３０のフローに示すように、まず球抜動作中か否か確認する（Ｓ３１）。この確認は、球抜状態検出センサ１１７ａ，１１７ｂの検出によって行われる。球抜動作中でなければ、未払いの払出球が有るか確認し（Ｓ３２）、未払いの払出球が無ければ、この払出装置制御処理（Ｓ３０）が終了し、一方、未払いの払出球が有る場合には、前記払出ソレノイド１２９をＯＮにして払出装置１２５を駆動させ、残りの遊技球を払い出す。それに対し、球抜動作中であれば、前記払出装置１２５を自動で作動させる場合（球抜動作中の検出により前記払出ソレノイド１２９を自動的に作動させる場合）には、Ａのように前記払出ソレノイド１２９をＯＮにして払出装置１２５を駆動させ（Ｓ３３）、前記回転体１２６を回転可能にする。一方、球抜動作によって前記払出装置１２５を自動で作動させない場合（払出ソレノイド１２９の作動開始を手動で行う場合）には、Ｂのようにこのまま払出装置制御処理（Ｓ３０）が終了する。
【００７９】
払出センサ検出処理（Ｓ４０）では、図３１のフローに示すように、球抜動作中か否か確認し（Ｓ４１）、球抜動作中であれば、この払出センサ検出処理（Ｓ４０）を終了する。一方、球抜動作中でなければ、払出センサ（前記払出検出器１４０の払出遊技球検出センサ１４５）により遊技球の通過が検出されたか確認し、通過があれば遊技球の通過数を前記払出個数から減算し（Ｓ４３）、この払出センサ検出処理（Ｓ４０）を終了する。なお、前記Ｓ４２で払出センサ（前記払出検出器１４０の払出遊技球検出センサ１４５）により遊技球の通過が検出されていないと判断された場合には、その時点でこの払出センサ検出処理（Ｓ４０）を終了する。
【００８０】
払出関連監視処理（Ｓ５０）では、図３２のフローに示すように、まず、払出個数が０未満か、すなわち、前記払出信号により設定された払出個数よりも多くの遊技球が払い出されているか否か判断する（Ｓ５１）。前記払出信号により設定された払出個数よりも多くの遊技球が払い出されている場合には、ランプ等で報知するための過払出信号（エラー信号）を出力する準備をし（Ｓ５２）、一方、前記払出信号により設定された払出個数よりも多くの遊技球が払い出されていない場合には、前記過払出信号（エラー信号）出力準備（Ｓ５２）をジャンプする。次に、球抜検出信号が有るか（現在球抜状態であるか、すなわち前記球抜状態検出センサ１１７ａ，１１７ｂの検出による信号を払出制御手段が受信しているか）否かを確認（Ｓ５３）し、球抜信号が有る（現在球抜状態である）場合には、ランプやスピーカ等で球抜状態を報知するために球抜検出信号出力の準備をし（Ｓ５４）、球抜検出信号がない場合にはこの払出関連監視処理（Ｓ５０）を終了する。
【００８１】
エラー解除処理（Ｓ６０）では、図３３のフローに示すように、エラー報知中か否か、すなわち、前記払出関連監視処理（Ｓ５０）で払出個数の異常が検出されているか（過払出信号出力準備がされたか）否かを判断する（Ｓ６１）。エラー報知中の場合、前記エラー解除スイッチ１２４がＯＮか否かを判断し（Ｓ６２）、エラー解除スイッチがＯＮの場合にはエラー解除動作を行う（Ｓ６３）。具体的には、払出個数を０にクリアすることになる。一方、エラー報知中ではなかったり、エラー解除スイッチがＯＮではないと判断されたりした場合には、その時点でこのエラー解除処理（Ｓ６０）は終了する。
【００８２】
このように、本実施例の弾球遊技機は、遊技球の払出が過剰になった場合、エラー解除スイッチが操作されるまで、ランプ、音声、表示等によって遊技者もしくは遊技店側に異常発生を報知するように構成されている。
【００８３】
一方、球抜状態が検出された際に前記払出遊技球検出手段による遊技球の検出を無効にする場合には、図３０の払出装置制御処理（Ｓ３０）に代えて図３４の払出装置制御処理（Ｓ３０Ａ）を行い、また図３２の払出関連監視処理（Ｓ５０）に代えて図３５の払出関連監視処理（Ｓ５０Ａ）を行う。その他の処理は前記不可能の場合の処理と同様に行う。すなわち、前記払出装置制御処理（Ｓ３０Ａ）では、未払いの払出球が有るか否か確認され（Ｓ３１Ａ）、未払いの払出球がなければこの払出装置制御処理（Ｓ３０Ａ）を終了し、一方、未払いの払出球があれば、前記払出ソレノイド１２９をＯＮにして払出装置１２５を駆動させ（Ｓ３２Ａ）、残りの遊技球を払い出してこの払出装置制御処理（Ｓ３０Ａ）を終了する。
【００８４】
前記払出関連監視処理（Ｓ５０Ａ）では、球抜動作中か確認され（Ｓ５１Ａ）、球抜動作中でなければ、払出個数が０より大か、すなわち未払球があるか確認され（Ｓ５２Ａ）、一方、球抜動作中であれば払出個数が０にクリア（払出遊技球検出手段による遊技球の検出が無効）にされた（Ｓ５３Ａ）後、払出個数が０より大か、すなわち未払球があるか確認される（Ｓ５２Ａ）。前記払出個数が０より大、すなわち未払球がある場合には未払払出信号出力準備が行われ（Ｓ５４Ａ）、一方前記払出個数が０以下、すなわち未払球が無い場合には、未払出信号出力準備（Ｓ５４Ａ）はジャンプされる。次に、球抜検出信号有りか確認され（Ｓ５５Ａ）、球抜検出信号がある場合には球抜検出信号出力準備がなされた（Ｓ５６Ａ）後に、この払出関連監視処理（Ｓ５０Ａ）が終了し、一方、球抜検出信号が無い場合には、直ちにこの払出関連監視処理（Ｓ５０Ａ）が終了する。このように、遊技中において遊技球の払出が未払いになった場合、エラー解除スイッチが操作されるまで、ランプ、音声、表示等によって遊技者もしくは遊技店側に異常発生を報知するように構成されている。一方、球抜動作中に関する遊技状態の払出が未払いになった場合においては、異常発生を報知しないように構成されている。
【００８５】
本発明は上記の構成としたことにより、払出装置から払い出される遊技球を遊技機外部へ抜き出す際に、前記払出装置から払い出された遊技球が、払出遊技球検出手段によって検出されないため、球抜状態時に払出装置から払い出された遊技球を払出遊技球検出手段が検出することで発生するエラー等（例えば、払い出された遊技球の検出結果が予め設定されている払出個数に対して過剰あるいは不足した場合等）の異常動作を防止することが可能となる。
【００８６】
なお、払出個数の異常検出方法は上記の方法に限定されるものではなく、例えば、設定された払出個数が０の時にセンサが遊技球の払出を検出したことを監視するもの等、適宜変更することが可能である。また、エラー解除の方法も、上記の方法に限定されず、例えば、エラー解除スイッチがＲＡＭクリアスイッチを兼ねていて、エラー解除スイッチＯＮが直接ＲＡＭクリアとなるものであってもよい。
【００８７】
また、本発明は、前記の実施例に限定されるものではなく、本発明の趣旨を逸脱しない範囲で変更可能である。例えば、本実施例では、払出装置にソレノイドとスプロケット状の回転体を用いたが、モーター等により駆動するスクリュー式のものであってもよい。さらに、払出装置強制手段は、本実施例では入賞口に遊技球を入球させて作動させる方法の他に、払出装置強制作動部材を手動によるスライド操作で作動させているが、払出装置強制作動部材を上方へ移動させて球抜状態とした際に、払出装置強制作動部材が解除可能にケース体と係合して球抜状態で固定されるようにしたり、手動による払出装置強制作動部材に代えて電気的なスイッチで前記払出ソレノイドをＯＮにして作動させたりしてもよい。
【図面の簡単な説明】
【００８８】
【図１】第１参考例に係る弾球遊技機全体について遊技盤の釘を省略して示す正面図である。
【図２】同弾球遊技機の裏面図である。
【図３】同弾球遊技機の制御装置等の接続を簡略に示すブロック図である。
【図４】同弾球遊技機における払出状態の機構板の裏側について装置等を一部切り欠いて示す図である。
【図５】同弾球遊技機における流路切換手段について払出状態を示す図である。
【図６】同弾球遊技機における流路切換手段について払出状態を示す斜視図である。
【図７】同弾球遊技機における流路切換手段について球抜状態を示す図である。
【図８】同弾球遊技機における球抜状態の機構板の裏側について装置等を一部切り欠いて示す図である。
【図９】同弾球遊技機における流路切換手段の分解及び組み立て状態を示す斜視図である。
【図１０】同弾球遊技機における払出装置の作動を示す図である。
【図１１】同弾球遊技機におけるケース体及び保持部材の斜視図である。
【図１２】第２参考例に係る弾球遊技機１Ａの裏面図である。
【図１３】第２参考例における払出状態の機構板の裏側について装置等を一部切り欠いて示す図である。
【図１４】第２参考例における球抜・払出状態の機構板の裏側について装置等を一部切り欠いて示す図である。
【図１５】第２参考例における払出装置の作動を示す図である。
【図１６】第２参考例におけるケース体及び保持部材の斜視図である。
【図１７】第２参考例における払出検出器移動部材の斜視図である。
【図１８】他の参考例におけるケース体及び保持部材等の斜視図である。
【図１９】実施例における払出状態の機構板の裏側について装置等を一部切り欠いて示す図である。
【図２０】実施例における球抜状態の機構板の裏側について装置等を一部切り欠いて示す図である。
【図２１】実施例における払出装置の作動を示す図である。
【図２２】実施例におけるケース体及び保持部材の斜視図である。
【図２３】実施例における第２流路切換部材の斜視図である。
【図２４】実施例における払出装置の作動を示す図である。
【図２５】実施例におけるケース体及び保持部材等の斜視図である。
【図２６】他の実施例における第２流路切換部材の斜視図である。
【図２７】他の実施例における払出装置の作動を示す図である。
【図２８】払出制御処理のフローチャートである。
【図２９】コマンド解析処理のフローチャートである。
【図３０】払出装置制御処理のフローチャートである。
【図３１】払出センサ検出処理のフローチャートである。
【図３２】払出関連監視処理のフローチャートである。
【図３３】エラー解除処理のフローチャートである。
【図３４】他の例に関する払出装置制御処理のフローチャートである。
【図３５】他の例に関する払出関連監視処理のフローチャートである。
【符号の説明】
【００８９】
１  弾球遊技機
３  遊技盤
６  遊技領域
９  表示装置
５３  発射装置
１２５  払出装置
１３０  ケース体
１３１  払出誘導樋
１３６  ケース体の開口部
１３７  第２球抜状態検出器
１４０  払出検出器
１４１  保持部材
１４５  払出遊技球検出センサ
１５９  払出樋
１６０  球抜樋
１６１Ａ  払出検出器移動部材
１６１Ｂ  第２流路切換部材
１６８  第２流路切換部材の突部
２０１  球抜樋
２０２  第２球抜樋
【図１】
2008296056.tif 000003
【図２】
2008296056.tif 000004
【図３】
2008296056.tif 000005
【図４】
2008296056.tif 000006
【図５】
2008296056.tif 000007
【図６】
2008296056.tif 000008
【図７】
2008296056.tif 000009
【図８】
2008296056.tif 000010
【図９】
2008296056.tif 000011
【図１０】
2008296056.tif 000012
【図１１】
2008296056.tif 000013
【図１２】
2008296056.tif 000014
【図１３】
2008296056.tif 000015
【図１４】
2008296056.tif 000016
【図１５】
2008296056.tif 000017
【図１６】
2008296056.tif 000018
【図１７】
2008296056.tif 000019
【図１８】
2008296056.tif 000020
【図１９】
2008296056.tif 000021
【図２０】
2008296056.tif 000022
【図２１】
2008296056.tif 000023
【図２２】
2008296056.tif 000024
【図２３】
2008296056.tif 000025
【図２４】
2008296056.tif 000026
【図２５】
2008296056.tif 000027
【図２６】
2008296056.tif 000028
【図２７】
2008296056.tif 000029
【図２８】
2008296056.tif 000030
【図２９】
2008296056.tif 000031
【図３０】
2008296056.tif 000032
【図３１】
2008296056.tif 000033
【図３２】
2008296056.tif 000034
【図３３】
2008296056.tif 000035
【図３４】
2008296056.tif 000036
【図３５】
2008296056.tif 000037